(57)【要約】      （修正有）【課題】面倒な曲面カットにも容易な、円弧状のヘッジトリマを提供する。【解決手段】本体に内蔵した駆動源によって、該本体の前方へ延びて往復動する上下２枚の切断プレート３ａで構成され、前記切断プレート３ａの面が平面であって刃先４ａが略円弧状に設けられている。【選択図】図１
2005261275.tif 000002
【特許請求の範囲】
【請求項１】
本体に内蔵した駆動源によって、該本体の前方へ延びて往復動する上下２枚の切断プレートで構成して生け垣等の樹木を略円弧状にも剪定可能なヘッジトリマであって、前記切断プレートの面が平面であって刃先が略円弧状に設けられていることを特徴としたヘッジトリマ。
【請求項２】
本体に内蔵した駆動源によって往復動する１枚の往復動切断プレートと、本体に固定した１枚固定切断プレートで構成して生け垣等の樹木を略円弧状にも剪定可能なヘッジトリマであって、
前記固定切断プレートの面が平面であって刃先が略円弧状に設けられ、
前記往復動する往復動切断プレートの面が平面であって刃体の取付部が略円弧状に形成し、該取付部に先端に刃先を有する刃体の基端を軸止し、該刃本の略中央部を前記固定切断プレートに軸止して支点にし、前記往復動プレートの往復動によって前記刃体の刃先が往復動し、前記固定切断プレートの刃先とで生け垣等の樹木を略円弧状にも剪定可能にしたことを特徴としたヘッジトリマ。
【発明の詳細な説明】
【技術分野】
【０００１】
本発明は、生け垣等の樹木を略円弧状にも剪定可能なようにしたヘッジトリマに関するものである。
【背景技術】
【０００２】
生け垣等の樹木を剪定には平面カット、垂直面カットや曲面カット等がある。
しかしながら現有の生け垣等の剪定器具（以下ヘッジトリマという。）は、電動モータやガソリンエンジン等の駆動源を内蔵した本体から前方に真っ直ぐに延びる２枚の切断プレートを往復動させ、該プレートに装着されている刃によって樹木を剪定するトリマである。
本発明の技術分野と異なるが、茶園では下記「非特許文献１」に記載されているような円形状に刈り取る茶摘機があるが、庭の樹木等の剪定には不適当である。
【特許文献１】特開２０００−３７１９８１
【非特許文献１】落合刃物工業株式会社発行  総合カタログ  ＯＣＨＩＡＩ                    平成１３年９月１日から平成１４年８月３０日迄の商品価格表
【発明の開示】
【発明が解決しようとする課題】
【０００３】
従来のヘッジトリマの構造は上述の様に真っ直ぐな切断プレートに刃先が装着されている為、平面カットや垂直カットには適しているが、円弧状（曲面）にカットするには手先を微妙にコントロールしながら少しずつカットし曲面に仕上げしているのが現状で、この点では非常に使い難いトリマと言える。
そこで、この面倒な曲面カットにも容易な、円弧状のヘッジトリマを提供するものである。
【課題を解決するための手段】
【０００４】
本発明は、  本体（１）に内蔵した駆動源（２）によって、該本体の前方へ延びて往復動するように上下２枚の往復動切断プレート（３ａ）で構成して生け垣等の樹木を略円弧状にも剪定可能なようにしたヘッシトリマで、前記往復動切断プレート（３ａ）は面が平面であって刃先（４ａ）が略円弧状に設けたことを特徴としたヘッジトリマと。
【０００５】
本体（１）に内蔵した駆動源（２）によって往復動する１枚の往復動切断プレート（３ａ）と、本体に固定した１枚固定切断プレート（３ｂ）で構成して生け垣等の樹木を略円弧状にも剪定可能なようにしたヘッジトリマで、前記固定切断プレート（３ｂ）は面が平面であって刃先（４ｂ）が略円弧状に設けられ、
前記往復動する往復動切断プレートは面が平面であって刃体（５）の取付部が略円弧状に形成し、該取付部に先端に刃先（５ｂ）を有する刃体（５）の基端（５ａ）を軸止し、該刃本の略中央部（５ｃ）を前記固定切断プレートに軸止して支点にし、前記往復動プレートの往復動によって前記刃体（５）の先端の刃先（５ｂ）が往復動さすことによって、前記固定切断プレート（３ｂ）の刃先（４ｂ）とで生け垣等の樹木を略円弧状にも剪定可能にしたことを特徴としたヘッジトリマを提供する。
尚、図示しないが、両側に略円弧状に剪定可能な切断プレートを構成したヘッシトリマや、片側には略円弧状に剪定可能な切断プレートと他側には従来の真っ直ぐ剪定する切断プレートとで構成したヘッジトリマも提供することができ、これらも本発明の技術思想である。  
【０００６】
電動モータやガソリンエンジン等の駆動原（２）から、切断プレートを往復動させる構造は特開２０００−３７１９８１号で記載されているような、偏心円盤板によって切断刃（本発明でいう切断プレート）を往復動さす手段が必要であるが、本発明は、単に、切断刃を真っ直ぐに前後動させるだけではなく、円弧状にも往復動さす誘導手段が別途必要である。
本発明ではその手段を誘導手段と名付ける。その手段の一例を図４に示す。
図示のように直進往復動プレート（６）は楕円形穴（６ａ）に遊嵌している偏芯円盤（１１）の回転にようて前後され、この前後の動きを円弧状に誘導する誘導手段（７）として前記直進往復動プレート（６）の先端に円形状の穴（７ａ）を設け、この穴部に円弧状往復動切断プレート（３ａ）の先端を円形（７ｂ）にし、該円形部（７ｂ）を前記穴部（７ａ）を遊嵌させ、往復動切断プレート（３ａ）を左右自在動可能にし、
更に、往復動切断プレート（３ａ）に円弧状のガイドスリット（８）を設け、これらを上下２枚の固定フレーム（９）、又は、上部に一枚の固定フレームと下部の固定切断プレートに挟んで誘導ピン（１０）で保持して円弧状に誘導する。  
【発明の効果】
【０００７】
本発明のヘッジトリマの実施例を図１から４に示すように、円弧状の切断プレートによって切断刃先が円弧状に装着されるので、樹木と刃先との傾斜角度を変えることによって曲面カットが可能になり、しかも、容易に且つ短時間で綺麗に仕上げることが可能になった。
【発明を実施するための最良の形態】
【０００８】
請求項１記載の本発明の実施例を図１、図２に示す。
本発明は、内蔵したモータ（２ａ）の駆動源に上下２枚の略円弧状の往復動切断プレート（３ａ）を円弧状に往復動可能なように前述図４で示す誘導手段（７）を介して取り付け、更に、これらのプレートを前述ようなガイドスリット（８）を設け、上下の固定フレーム（９）に誘導ピン（１０）で挟持した。
【０００９】
請求項２記載の本発明の実施例を図３に示す。
本発明は、内蔵したモータ（２ａ）の駆動源に略円弧状の往復動切断プレート（３ａ）を円弧状に往復動可能なように誘導手段（７）を介して取り付け、更に、該往復動切断プレートの下部に略円弧状に刃先（４ｂ）を装着した固定切断プレート（３ｂ）を取り付けた。
尚、前記往復動切断プレート（３ａ）の略円弧状の刃体部に、先端に刃先（５ｂ）を有する刃体（５）の基端（５ａ）を軸止し、その刃本（５）の略中央部（５ｃ）を前記固定切断プレートに軸止して支点にし、往復動プレート（３ａ）の往復動によって前記刃体（５）の先端の刃先（５ｂ）が往復動するようにし、更にガイドスリット（８）を設け、上部の固定フレーム（９）と下部の前記固定切断プレートとで該往復動切断プレートを挟んで誘導ピン（１０）で保持した。
【図面の簡単な説明】
【００１０】
【図１】本発明の第１実施例を示す斜視図です。
【図２】本発明の第１実施例を示す中心部切断断面図です。
【図３】本発明の第２実施例を示す斜視図です。
【図４】本発明の誘導駆動手段とガイドスリットを示す斜視図です。
【符号の説明】
【００１１】
１      本体        
２      駆動原
２ａ    モータ  
３ａ    往復動切断プレート
３ｂ    固定切断プレート  
４ａ    刃先
４ｂ    刃先
５      刃体
５ｂ    刃先
５ａ    刃体基端
５ｃ    刃体の中央部
６      直進往復動プレート
6ａ     楕円形穴
７      誘導手段  
７ａ    円形状の穴  
７ｂ    円部
８      ガイドスリット
９      固定フレーム
１０      誘導ピン
１１      偏芯円盤
【図１】
2005261275.tif 000003
【図２】
2005261275.tif 000004
【図３】
2005261275.tif 000005
【図４】
2005261275.tif 000006